(57)【要約】【課題】ごみ燃焼溶融炉における副燃焼室と二次燃焼室との間のダクトが屈曲して形成される突起部分に冷却用兼二次燃焼用空気を吹き込んで未溶融炭化残渣の再燃焼を促進する。【解決手段】燃焼熔融炉における副燃焼室１５と二次燃焼室２０との間のダクトが屈曲して形成される突起部分１８の耐火キャスタブル２２中に冷却空気吹込み用ノズル群２１を埋設し、冷却空気吹込みにより突起部分１８の耐火キャスタブル２２を冷却し炉体耐火物を保護すると共に、ノズル群２１からの空気吹込みで形成されるエアカーテンによって副燃焼室１５と二次燃焼室２０を仕切って熱風の移動を阻止する。エアカーテン状に供給される酸素は未溶融のチャーの再燃焼を促進し、流れている間に高温化するため、二次燃焼室２０を冷やす恐れはない。また、排ガス等のショートパスが防止され二次燃焼ゾーンの拡大による完全燃焼をはかる。【選択図】      図１
2004278818.tif 000002
【特許請求の範囲】
【請求項１】
燃焼溶融炉における副燃焼室と二次燃焼室との間のダクトが屈曲して形成される突起部分の耐火キャスタブル中に埋設した冷却空気吹込み用ノズル群から冷却空気を吹込むことにより前記突起部分の耐火キャスタブルを冷却し、冷却空気の吹き込みによるエアカーテンによって副燃焼室と二次燃焼室とを仕切って二次燃焼室への熱風の短絡移動を阻止すると同時に、未溶融の炭化残渣の再燃焼を促進するための二次燃焼用酸素を供給することを特徴とするごみ処理用燃焼溶融炉の二次燃焼空気吹込方法。
【請求項２】
前記冷却空気吹込みは、ごみピット内の悪臭を引き込むことにより悪臭防止を図ると共に、二次燃焼室に供給される酸素は前記突起部分の耐火キャスタブル中に流れている間に高温化されることを特徴とする請求項１に記載のごみ処理用燃焼溶融炉の二次燃焼空気吹込方法。
【発明の詳細な説明】
【０００１】
【発明が属する技術分野】
本発明は、ごみ処理用燃焼溶融炉に関するもので、特に燃焼溶融炉における副燃焼室と二次燃焼室との間に形成される煙道突起部分に二次燃焼空気を吹込む方法に係る。
【０００２】
【従来の技術】
都市ごみの処理は、近年、低酸素雰囲気下で処理物を熱分解するガス化炉と、ガス化炉で生成された熱分解ガスと熱分解残渣とを高温燃焼させる溶融炉とを使用するガス化溶融法が採用されつつある。従来のごみ処理用燃焼熔融炉は、予熱室の天井部に排ガスを排出する排出通路が設けられているが、この天井部が高温熱風により、炉壁部分を短時間に破壊してしまうおそれがある。そこで、熔融炉の炉床部を耐火構造として、断熱用キャスタブルとそれより熱伝導率の高い耐火用キャスタブルとの二層の耐火材の耐火用キャスタブルを炉床内面とし、その外側に耐火材を冷却する冷却用流路を設け、冷却用流路から耐火用キャスタブル内へ突入して耐火材の熱を冷却用流路側へ伝える複数の突起部材を設けたものが知られている（例えば、特許文献１参照）。また、ごみ等の被処理物を挿入し得るようにした挿入空間を有する炉において、処理空間の側方に位置する炉壁を、ろ過通水部と給水パイプとからなる冷却体で構成し、給水パイプには側壁に向け冷却水を吹き付ける吹き出し口を設けたものが知られている（特許文献２参照）。
【０００３】
【特許文献１】特開２０００−２８１２７号公報（第１頁、第１図）
【特許文献２】特開昭５４−１５０３０４号公報（第１頁、第１図）
【０００４】
【発明が解決しようとする課題】
しかし、上記従来法では、熔融炉出口部に吹込空気がないため、未溶融炭化残渣の再燃焼が不充分であった。また、燃焼熔融炉の副燃焼室から二次燃焼室に通じるダクト形状が突起部分で折れ曲がっている場合には、飛灰、熔融スラグ、排ガス等がショートパスによる熔融スラグの付着・同伴が起こり、炉体耐火材の短寿命や排ガス中に未燃焼ガス類を残存させるという問題あった。
本発明は、ごみ処理用溶融炉の副燃焼室から屈曲するダクトを経て連設される二次燃焼室における未溶融炭化残渣の再燃焼を促進する二次空気吹込み方法を提供することを目的とする、すなわち、副燃焼室出口部（ダクト形状が折れ曲がって形成される突起部分）の耐火キャスタブル中に冷却空気吹込み用ノズル群を埋設して吹き込むことにより炉体耐火物の保護（寿命の延長）をはかると共に、ノズル群からエアカーテン状に吹き出される二次燃焼空気（酸素）によって排ガス等のショートパスを防止して二次燃焼ゾーンの拡大による完全燃焼をはかるものである。
【０００５】
【課題を解決するための手段】
上記目的を達成するため、本発明は、燃焼溶融炉における副燃焼室と二次燃焼室との間のダクトが屈曲して形成される突起部分の耐火キャスタブル中に埋設した冷却空気吹込み用ノズル群からの冷却空気吹込みより前記突起部分の耐火キャスタブルを冷却し、冷却空気の吹き込みによるエアカーテンによって副燃焼室と二次燃焼室とを仕切って二次燃焼室への熱風の短絡移動を阻止すると同時に、未溶融の炭化残渣の再燃焼を促進するための二次燃焼用酸素を供給することを特徴とするものである。また、前記冷却空気吹込みは、ごみピット内の悪臭を引き込むことにより悪臭防止を図ると共に、二次燃焼室に供給される酸素は前記突起部分の耐火キャスタブル中に流れている間に高温化されることを特徴とする。
このように、耐火キャスタブルの中に冷却空気吹込みノズルを埋め、エアカーテンによって仕切ることによって熱風の移動を阻止し、未溶融のチャーの再燃焼を促進するため空気（酸素）を供給するものであり、供給される酸素は突起部分の耐火キャスタブル中に流れている間に高温化して燃焼室を冷やす恐れがなく、高温空気を排気する必要がない。
【０００６】
【発明の実施の形態】
図１は本発明方法を実施するごみ燃焼溶融炉の要部の断面図、図２は図１のＡ−Ａ線における断面図である。
図示のように、ごみ燃焼溶融炉の主燃焼室１０に続く副燃焼室１５と二次燃焼室２０との間のダクト１９が屈曲して形成される突起部分１８の耐火キャスタブル２２中に、下向きに例えば４５°傾けて冷却空気を吹込むようにしたノズル群２１を備えたヘッダ２４を埋設する。ノズル群２１からの冷却空気吹出によって屈曲して形成される突起部分１８の耐火キャスタブル２２を冷却すると共に、副燃焼室１５と二次燃焼室２０とをエアカーテンで仕切って二次燃焼室２０への熱風の移動を阻止しながら、未溶融の炭化残渣の再燃焼を促進するため二次燃焼用酸素を供給する。
なお、副燃焼室１５は熱分解ガス及び熱分解残渣供給管１１、補助燃料供給管１２及び一次燃焼空気供給管１３が挿入されている。また、図中、符号１４はバーナ、１６は覗き窓、１７は炉壁、２１は冷却空気吹込みノズル、２３は耐火キャスタブル、２４は冷却空気吹込み用ヘッダである。
【０００７】
冷却空気吹き込に供給される酸素は、副燃焼室１５と二次燃焼室２０に通じるダクト形状が折れ曲がっている突起部分１８の耐火キャスタブル２２中に流れている間に高温化して二次燃焼室２０を冷やす恐れはない。また、使用する供給酸素は、ごみピット（図示省略）内の悪臭を引き込むことにより悪臭防止を図ると共に、空気を捨てないで再利用する。
【０００８】
上記のように、耐火キャスタブル２２の中に冷却空気吹込みノズル群２１を埋め、突起部分１８の耐火キャスタブル２２て炉体耐火物を保護するとともに、エアカーテンによって仕切ることによって熱風の短絡移動を阻止する。また、冷却空気吹込みは、未溶融のチャーの再燃焼を促進するため酸素供給であり、また、供給酸素はピット内の悪臭を引き込み利用することにより、悪臭防止が図れる。ここに、供給される酸素は流れている間にも高温化するため、二次燃焼室２０を冷やす恐れはないし、高温空気を排気する必要がない。
【０００９】
排ガスがショートパスすると、耐火物に負荷がかかり過ぎ、飛灰が飛んで磨耗するが、突起部分１８のノズル群へエアカーテン状の二次空気吹き込むことにより、排ガス等のショートパスが防止され、空冷による炉体耐火物の保護（寿命の延長）、二次燃焼ゾーンの拡大による完全燃焼をはかることができ、未溶融のチャー（未熔融炭化物）の再燃焼を促進するため酸素供給となる。
【００１０】
【発明の効果】
上記のように、本発明によれば、燃焼熔融炉における副燃焼室と二次燃焼室との間のダクト突起部分の耐火キャスタブル中に冷却空気吹込みノズル群を埋設したので、突起部分の耐火キャスタブルを冷却して炉体耐火物を保護すると共に、ノズル群からの空気吹込みによって形成されるエアカーテンで仕切ることによって熱風の移動を阻止する。エアカーテン状に供給される酸素は未溶融のチャーの再燃焼を促進し、流れている間に高温化するため、二次燃焼室を冷やす恐れはない。また、エアカーテン状の二次空気吹込みにより、排ガス等のショートパスが防止され、二次燃焼ゾーンの拡大による完全燃焼をはかることができる。さらに、ノズルに供給される酸素はピット内の悪臭を引き込み利用することにより、悪臭防止が図れる。ここに、供給される酸素は流れている間にも高温化するため、燃焼室を冷やす恐れはないし、空気を捨てないで再利用することができる。
【図面の簡単な説明】
【図１】本発明方法を実施するごみ燃焼溶融炉の要部の断面図である。
【図２】図１のＡ−Ａ線における断面図である。
【符号の説明】
１０  主燃焼室                  １１  熱分解ガス及び熱分解残渣供給管
１２  補助燃料供給管            １３  一次燃焼空気供給管
１４  バーナ                    １５  副燃焼室
１６  覗き窓                    １７  炉壁
１８  溶融炉出口部（突起部分）  １９  煙道
２０  二次燃焼室                ２１  冷却空気吹込みノズル群
２２  耐火キャスタブル          ２４  ヘッダ
【図１】
2004278818.tif 000003
【図２】
2004278818.tif 000004